(57)【要約】【課題】  アクセサリー本体の裏側に止め金具を隠すことができると共に、ボリュームのあるネックレスにも着用時の違和感がないように取り付けることができ、ネックレスに容易に着脱できると共に、ネックレスに安定して取り付けることのできるペンダントトップを提供する。【解決手段】  アクセサリー本体１２をネックレス１３に止め金具１４を介して吊り下げるペンダントトップ１１において、止め金具１４を、ネックレス１３の太さに対して十分大きな弧状に形成し、その弧状の止め金具１４を、アクセサリー本体１２の裏面２６に互いに対向して折り畳み自在に設けたものである。【選択図】  図１
2006198003.tif 000002
【特許請求の範囲】
【請求項１】
アクセサリー本体をネックレスに止め金具を介して吊り下げるペンダントトップにおいて、上記止め金具を、ネックレスの太さに対して十分大きな弧状に形成し、その弧状の止め金具を、アクセサリー本体の裏面に互いに対向して折り畳み自在に設けたことを特徴とするペンダントトップ。
【請求項２】
弧状の止め金具が、アクセサリー本体の裏面に互いに中央に向かって折り畳み自在に設けられる請求項１記載のペンダントトップ。
【請求項３】
弧状の止め金具は、その両端部がアクセサリー本体の外縁に回動自在に枢着され、中央先端部がアクセサリー本体の中央に位置するように折り畳み自在に設けられる請求項１又は２記載のペンダントトップ。
【請求項４】
弧状の止め金具は、円弧コ字状に形成される請求項１〜３いずれかに記載のペンダントトップ。
【請求項５】
弧状の止め金具の両端部の回動軸が、アクセサリー本体の裏面に設けた軸受に軸支される請求項１〜４いずれかに記載のペンダントトップ。
【請求項６】
アクセサリー本体の裏面には、一対の弧状の止め金具を折り畳んだとき、裏面に固定するためのホックが設けられる請求項１〜５いずれかに記載のペンダントトップ。
【請求項７】
弧状の止め金具はアクセサリー本体に枢着される一対の基部金具と、その一対の基部金具に折り畳み自在に連結された先端連結金具とからなり、基部金具がアクセサリー本体の略中央に枢着されてその外側に折り畳み自在にされ、先端連結金具は、外側に折り畳まれた基部金具に対しアクセサリー本体の裏面の中央部に折り畳まれるようにされる請求項１記載のペンダントトップ。
【発明の詳細な説明】
【技術分野】
【０００１】
本発明は、アクセサリー本体をネックレスに止め金具を介して吊り下げるペンダントトップに関するものである。
【背景技術】
【０００２】
ネックレス（ネックリング）に止め金具を介して吊り下げられるペンダントトップとしては、特許文献１〜３記載のものが知られている。
【０００３】
特許文献１記載のペンダントトップは、アクセサリー本体の外側に突出すると共に、裏側に収納可能なバチカンを有するものであり、バチカンにネックレスを通してネックレスに吊り下げるようになっている。
【０００４】
また、特許文献２記載のペンダントトップは、アクセサリー本体の裏面に吊り具を有し、吊り具にネックレスを通すようになっている。
【０００５】
特許文献３記載のペンダントトップは、ブローチ止め金具の基端に鎖を通す部分を設け、ブローチ止め金具にネックレスを通すようになっている。
【０００６】
【特許文献１】特開２００４−２４４７５号公報
【特許文献２】特開平１１−４６８１９号公報
【特許文献３】実用新案登録第３１００１１０号公報
【発明の開示】
【発明が解決しようとする課題】
【０００７】
ところで、ペンダントトップの止め金具は、ペンダントトップ全体のデザイン性を損なわないようにアクセサリー本体の裏側に隠れることが好ましい。しかしながら、止め金具は、着用時の違和感を抑えるためにできる限り小さく形成する必要があり、宝玉等を多重に連ねたネックレス等、ボリュームのあるネックレスに取り付けることはできないという課題があった。また、止め金具は、小さく形成しなければならない反面、ネックレスに容易に着脱できなければならないため、簡単な環状に形成されており、ネックレスに対してペンダントトップが動き、着用時の安定性に欠けるという課題があった。
【０００８】
そこで、本発明の目的は、上記課題を解決し、アクセサリー本体の裏側に止め金具を隠すことができると共に、ボリュームのあるネックレスにも着用時の違和感がないように取り付けることができ、ネックレスに容易に着脱できると共に、ネックレスに安定して取り付けることのできるペンダントトップを提供することにある。
【課題を解決するための手段】
【０００９】
上記課題を解決するために本発明は、アクセサリー本体をネックレスに止め金具を介して吊り下げるペンダントトップにおいて、上記止め金具を、ネックレスの太さに対して十分大きな弧状に形成し、その弧状の止め金具を、アクセサリー本体の裏面に互いに対向して折り畳み自在に設けたものである。
【００１０】
弧状の止め金具は、アクセサリー本体の裏面に互いに中央に向かって折り畳み自在に設けられるとよい。
【００１１】
そして、弧状の止め金具は、その両端部がアクセサリー本体の外縁に回動自在に枢着され、中央先端部がアクセサリー本体の中央に位置するように折り畳み自在に設けられるとよい。
【００１２】
また、弧状の止め金具は、円弧コ字状に形成されてもよい。
【００１３】
弧状の止め金具の両端部の回動軸は、アクセサリー本体の裏面に設けた軸受に軸支されるとよい。
【００１４】
アクセサリー本体の裏面には、一対の弧状の止め金具を折り畳んだとき、裏面に固定するためのホックが設けられるとよい。
【００１５】
また、弧状の止め金具はアクセサリー本体に枢着される一対の基部金具と、その一対の基部金具に折り畳み自在に連結された先端連結金具とからなり、基部金具がアクセサリー本体の略中央に枢着されてその外側に折り畳み自在にされ、先端連結金具は、外側に折り畳まれた基部金具に対しアクセサリー本体の裏面の中央部に折り畳まれるようにしてもよい。
【発明の効果】
【００１６】
本発明によれば、アクセサリー本体の裏側に止め金具を隠すことができると共に、ボリュームのあるネックレスにも着用時の違和感がないように取り付けることができ、ネックレスに容易に着脱できると共に、ネックレスに安定して取り付けることができる。
【発明を実施するための最良の形態】
【００１７】
図１、図２及び図３は本発明の好適実施の形態を示すペンダントトップの背面図であり、図１はネックレスに取り付けた状態を示し、図２は止め金具を展開した状態を示し、図３はネックレスから外してブローチとした状態を示す。
【００１８】
図１及び図２に示すように、ペンダントトップ１１は、略板状に形成されると共に前面（図示せず）に装飾を施されたアクセサリー本体１２と、アクセサリー本体１２の裏面２６に設けられネックレス１３にアクセサリー本体１２を吊り下げるべく係合される止め金具１４と、アクセサリー本体１２の裏面２６に設けられたピン１５とを備えて構成されている。
【００１９】
止め金具１４は、ネックレス１３の太さに対して十分大きな弧状に形成されており、アクセサリー本体１２の裏面２６に一対互いに対向して折り畳み自在に設けられている。止め金具１４はその両端部１６、１７をアクセサリー本体１２の外縁に回動自在に枢着されており、止め金具１４の中央先端部１８がアクセサリー本体１２の略中央に位置して折り畳まれるようになっている。すなわち、弧状の止め金具１４とアクセサリー本体１２とでリングを形成しており、このリングの中にネックレス１３を挿通させるようになっている。
【００２０】
止め金具１４の両端部１６、１７には、同軸上に位置する回動軸１９が形成されており、これら回動軸１９がアクセサリー本体１２の裏面２６に設けた軸受２０に軸支されている。回動軸１９と軸受２０は、意図的に力を加えなければ回動しない程度の嵌め合いに形成されており、止め金具１４とアクセサリー本体１２との間にネックレス１３を挟んで保持できるように形成されている。また特に、止め金具１４はネックレス１３に吊ったときに互いの軸が上側で近接して下側で離間するハ字状に配置されている。これにより、ネックレス１３にアクセサリー本体１２を吊ったとき、ネックレス１３を止め金具１４の回動中心側に案内でき、ネックレス１３を安定して保持できるように構成されている。
【００２１】
図３及び図４に示すように、ピン１５は、ペンダントトップ１１をブローチと兼用するためのものであり、鉄砲式安全ピンからなる。ピン１５は、アクセサリー本体１２の裏面２６に裏面２６と略平行な軸回り回動自在に設けられた針部２１と、アクセサリー本体１２の裏面２６に設けられ針部２１の先端を着脱自在に収容する受部２２とを備えて構成されている。受部２２は、アクセサリー本体１２の裏面２６に設けられた外筒２３と、外筒２３内に軸方向にスライド可能に設けられた内筒２４とからなる。外筒２３には、針部２１を径方向外方から導入又は径方向外方に導出するための切欠２５が形成されており、内筒２４を外筒２３から引き出したとき、受部２２内に針部２１を導入又は導出できるように構成されている。内筒２４は、外筒２３内に針部２１を導入したのち、軸方向にスライドさせて外筒２３内に戻すことで針部２１を収容するように構成されている。
【００２２】
次に本実施の形態の作用を述べる。
【００２３】
図３に示すペンダントトップ１１をネックレスに取り付ける場合、まずアクセサリー本体１２の裏面２６に沿って折り畳まれたそれぞれの止め金具１４を略１８０°回動させて展開する。図２に示すように、止め金具１４は、外側へ向くと共に中央先端部１８とその近傍をアクセサリー本体１２から突出させることとなる。このようにして展開されたそれぞれの止め金具１４にネックレス１３を挿通させる。止め金具１４はアクセサリー本体１２から突出されているため、アクセサリー本体１２が作業の邪魔となることはなく、ネックレス１３を止め金具１４に容易に挿通させることができる。この後、図１に示すようにそれぞれの止め金具１４をアクセサリー本体１２の裏面２６に沿わせるように折り畳む。これにより、ネックレス１３は止め金具１４とアクセサリー本体１２との間に挟まれて保持される。止め金具１４の回動軸１９とその軸受２０は、意図的に力を加えなければ回動しない程度に固く嵌め合わされており、かつ、それぞれの止め金具１４の軸がハ字状に配置されているため、ネックレス１３にペンダントトップ１１を吊り下げたとき、ネックレス１３を止め金具１４の回動中心側に案内して安定して保持することができる。
【００２４】
このようにして形成したペンダントを首に掛けたとき、止め金具１４はアクセサリー本体１２の裏側にあり、ペンダント装着者の胸元とアクセサリー本体１２との間に隠れるため、外から見えることはない。また、止め金具１４はネックレス１３の太さに対して十分大きな弧状に形成されており、アクセサリー本体１２の裏面２６に沿って折り畳まれているため、ペンダント装着者の胸元が止め金具１４に干渉し、止め金具１４が自然に展開することはない。
【００２５】
ネックレス１３からペンダントトップ１１を取り外してブローチにする場合、図２に示すように止め金具１４を展開して止め金具１４からネックレス１３を取り外し、図３に示すように止め金具１４をアクセサリー本体１２の裏面２６に沿わせるように折り畳む。これにより、止め金具１４をアクセサリー本体１２の裏側に隠すことができ、ペンダントトップ１１を美観を損なうことなくブローチにすることができる。
【００２６】
このように、止め金具１４を、ネックレス１３の太さに対して十分大きな弧状に形成し、その弧状の止め金具１４を、アクセサリー本体１２の裏面２６に互いに対向して折り畳み自在に設けたため、アクセサリー本体１２の裏側に止め金具１４を隠すことができると共に、ボリュームのあるネックレス１３にも着用時の違和感がないように取り付けることができ、ネックレス１３に容易に着脱できると共に、ネックレス１３に安定して取り付けることができる。
【００２７】
また、止め金具１４が、アクセサリー本体１２の裏面２６に互いに中央に向かって折り畳み自在に設けられるものとしたため、ネックレス１３をアクセサリー本体１２の中心線上に保持することができ、ネックレス１３にペンダントトップ１１を安定して取り付けることができる。
【００２８】
止め金具１４は、その両端部１６、１７がアクセサリー本体１２の外縁に回動自在に枢着され、中央先端部１８がアクセサリー本体１２の中央に位置するように折り畳み自在に設けられるものとしたため、止め金具１４を折り畳んだときアクセサリー本体１２の裏側に隠すことができると共に、展開したときアクセサリー本体１２の外側に突出させることができ、止め金具１４とネックレス１３とを容易に着脱することができる。
【００２９】
止め金具１４の両端部１６、１７の回動軸１９が、アクセサリー本体１２の裏面２６に設けた軸受２０に軸支されるものとしたため、止め金具１４を簡単な構造で容易に折り畳み、展開できる。
【００３０】
なお、アクセサリー本体１２は、樹木を象ったものを図示して説明したが、これに限るものではなく、他の如何なるデザインのものであってもよいのは勿論である。例えば、図５に示すように、アクセサリー本体３１は、花を象ったものであってもよい。
【００３１】
また、図６に示すように、止め金具４１は、弧状に形成されていれば中間を２カ所屈曲された円弧コ字状であってもよい。略矩形のアクセサリー本体４２に円弧コ字状の止め金具４１を設けることで、止め金具４１を大きく形成できると共に、デザイン上のバランスをとることができる。止め金具４１の形状は、アクセサリー本体の形状、重さ、重心位置、デザイン上のバランス等を考慮して決定するとよく、１カ所屈曲された円弧三角状であってもよく、３カ所以上の複数箇所を屈曲された円弧多角状であってもよい。
【００３２】
ピン１５は鉄砲式安全ピンに限るものではなく、ブローチのピンとして用いられるものであれば他のタイプのものであってもよい。
【００３３】
また、アクセサリー本体４２の裏面４６に、一対の弧状の止め金具４１を折り畳んだとき、裏面４６に固定するためのホック４３を設けてもよい。止め金具４１を折り畳んだ状態に安定させることができ、ネックレス１３をさらに安定して保持することができる。ホック４３は、アクセサリー本体４２の裏面４６に沿って設けられた基部４４と、基部４４に設けられ折り畳まれた止め金具４１を両側から挟んで保持するための爪部４５とで構成するとよい。爪部４５は、基部４４にアクセサリー本体４２の裏面４６に対して略垂直に延びる突起を設けてなるものとするとよい。簡単な構造で容易に止め金具４１を保持することができる。
【００３４】
次に、止め金具に変更を加えた他の実施の形態について述べる。
【００３５】
図７及び図８に示すように、ペンダントトップ５１は、略十字型に形成されたアクセサリー本体５２と、アクセサリー本体５２の裏面６０に設けられた弧状の止め金具５３とからなる。アクセサリー本体５２は、板状のピース５４、５５を複数連ねたネックレス５６の所定のピース５５に着脱自在に取り付けられるようになっている。アクセサリー本体５２は、上記ピース５５の略相似形に形成されると共に、上記ピース５５より一回り大きく形成されており、上記ピース５５に取り付けたときその前面（図示せず）を覆うようになっている。
【００３６】
止め金具５３は、上記ピース５５を通せるように一方方向に長く形成されると共に、折り畳んだときにアクセサリー本体５２からはみ出ないように中折れ自在に形成されている。具体的には、止め金具５３は、アクセサリー本体５２に枢着される一対の基部金具５７、５８と、その一対の基部金具５７、５８に折り畳み自在に連結された先端連結金具５９とからなる。基部金具５７、５８は、それぞれ湾曲した線状に形成されており、ペンダントを首にかけたときの上下方向に離間されると共に、アクセサリー本体５２の幅方向の略中央に枢着されて外側に折り畳み自在となっている。先端連結金具５９は、上下に離間する基部金具５７、５８の先端同士を連結するようにそれぞれの基部金具５７、５８に両端を回動自在に連結されており、外側に折り畳まれた基部金具５７、５８に対しアクセサリー本体５２の裏面６０の中央部に折り畳まれるようになっている。先端連結金具５９は、基部金具５７、５８の延長方向に長く形成されており、基部金具５７、５８と共に展開したときネックレス５６のそれぞれのピース５４、５５を挿通できる程度の細長いリングを形成するようになっている。
【００３７】
次に本実施の形態の作用を述べる。
【００３８】
ネックレス５６にペンダントトップ５１を取り付ける場合、先端連結金具５９を略１８０°回動させて基部金具５７、５８と同じ方向に延ばすと共に、基部金具５７、５８をアクセサリー本体５２から起こすように略９０°回動させる。図８に示すように、止め金具５３は、アクセサリー本体５２に対して垂直に延びて展開され、アクセサリー本体５２と共に細長いリングを形成する。この後、止め金具５３に形成された細長いリングの中にネックレス５６を挿通し、所定のピース５５をアクセサリー本体５２に重ね合わせる。基部金具５７、５８をアクセサリー本体５２に沿わせるように外側に折り畳むと共に、先端連結金具５９を上記ピース５５に沿わせるように内側に折り畳むことで、上記ピース５５にアクセサリー本体５２を安定して取り付けることができる。
【００３９】
ネックレス５６からペンダントトップ５１を取り外す場合は、上述と同様の手順で止め金具５３を展開したのち、止め金具５３からネックレス５６を取り外す。
【００４０】
このように、止め金具５３が、アクセサリー本体５２に枢着される一対の基部金具５７、５８と、その一対の基部金具５７、５８に折り畳み自在に連結された先端連結金具５９とからなり、基部金具５７、５８がアクセサリー本体５２の略中央に枢着されてその外側に折り畳み自在にされ、先端連結金具５９は、外側に折り畳まれた基部金具５７、５８に対しアクセサリー本体５２の裏面６０の中央部に折り畳まれるようにすると、アクセサリー本体５２と同程度の大きなピース５５をも止め金具５３に挿通させることができると共にアクセサリー本体５２の裏側に隠すことができ、ペンダントトップ５１を様々なネックレスに適応して取り付けることができる。
【図面の簡単な説明】
【００４１】
【図１】本発明の好適実施の形態を示すネックレスに取り付けたペンダントトップの背面図である。
【図２】止め金具を展開したペンダントトップの背面図である。
【図３】ネックレスから外してブローチとしたペンダントトップの背面図である。
【図４】図３のＡ−Ａ線矢視図である。
【図５】他の実施の形態を示すペンダントトップの背面図である。
【図６】他の実施の形態を示すペンダントトップの背面図である。
【図７】他の実施の形態を示すペンダントトップの背面図である。
【図８】止め金具を展開したペンダントトップの側面図である。
【符号の説明】
【００４２】
１１  ペンダントトップ
１２  アクセサリー本体
１３  ネックレス
１４  止め金具
１６  端部
１７  端部
１８  中央先端部
１９  回動軸
２０  軸受
２６  裏面
４１  止め金具
４２  アクセサリー本体
４３  ホック
４６  裏面
５１  ペンダントトップ
５２  アクセサリー本体
５３  止め金具
５７  基部金具
５８  基部金具
５９  先端連結金具
６０  裏面
【図１】
2006198003.tif 000003
【図２】
2006198003.tif 000004
【図３】
2006198003.tif 000005
【図４】
2006198003.tif 000006
【図５】
2006198003.tif 000007
【図６】
2006198003.tif 000008
【図７】
2006198003.tif 000009
【図８】
2006198003.tif 000010